(57)【要約】【課題】部品点数、組立て工程の増大を抑止・低減し、低コスト化を図る装置の提供。【解決手段】単体で走査機構可能なバックライト部２を液晶表示部と整合して配置し、両者を同期させて表示画像を得るものであり、バックライト部２は複数の走査電極群を有し、発光色の異なる発光層群を有し、発光色はバックライト面内で空間的に分離されており、異なる発光色の複数の発光層を単位として走査する。液晶表示部と前記バックライト部との間に、ＥＭＩ（ElectroMagnetic  Interference）対策フィルタ層を有する。【選択図】図１１
2008015542.tif 000002
【特許請求の範囲】
【請求項１】
液晶表示部と、前記液晶表示部に照明光を供給するバックライト部とを備えた液晶表示装置において、
前記バックライト部は、複数の走査単位に分割されており、前記走査単位に点灯走査され、
前記液晶表示部と前記バックライト部との間に、ＥＭＩ（ElectroMagnetic  Interference）対策フィルタ層を有する、ことを特徴とする液晶表示装置。
【請求項２】
液晶表示部と、前記液晶表示部に照明光を供給するバックライト部とを備えた液晶表示装置において、
前記バックライト部は、複数の走査単位に分割されており、前記走査単位に点灯走査され、
前記液晶表示部の内部に、ＥＭＩ（ElectroMagnetic  Interference）対策フィルタ層が設けられている、ことを特徴とする液晶表示装置。
【請求項３】
ＥＭＩ（ElectroMagnetic  Interference）対策フィルタ層は、前記液晶表示部を作成する際の薄膜工程で作成される網目状の導体構造よりなる、ことを特徴とする請求項２に記載の液晶表示装置。
【請求項４】
液晶表示部と、前記液晶表示部に照明光を供給するバックライト部とを備えた液晶表示装置において、
前記バックライト部は、複数の走査単位に分割されており、前記走査単位に点灯走査され、
前記バックライト部、ＥＭＩ対策フィルタ層、バックライト光を面内方向に拡散させる光拡散層、前記液晶表示部を、この順の配置にて備えている、ことを特徴とする液晶表示装置。
【請求項５】
前記バックライト部において、前記走査単位の配列方向が前記液晶表示部の走査方向と一致している、ことを特徴とする請求項１乃至３のいずれか一に記載の液晶表示装置。
【請求項６】
前記液晶表示部の走査周期が、前記バックライトの走査単位の走査周期の整数倍である、ことを特徴とする請求項１乃至３のいずれか一に記載の液晶表示装置。
【請求項７】
前記バックライト部からの光がガス放電からの光である、ことを特徴とする請求項１乃至３のいずれか一に記載の液晶表示装置。
【請求項８】
前記バックライト部にガスが封入され、前記バックライト部からの光がガス放電からの励起光で励起した蛍光体からの蛍光である、ことを特徴とする請求項１乃至３のいずれか一に記載の液晶表示装置。
【請求項９】
前記液晶表示部の前面に蛍光層を備えており、
前記バックライト部からの光が前記液晶表示部を通過した後に前記蛍光層に入射される、ことを特徴とする請求項１乃至３のいずれか一に記載の液晶表示装置。
【請求項１０】
前記バックライト部が真空を保ち、電子源を走査する走査電極を備え、前記電子源からの電子が蛍光層に導かれる構成とされ、
前記バックライト部からの光は、真空中で電子を加速して前記蛍光層に入射させることにより得られる光である、ことを特徴とする請求項１乃至３のいずれか一に記載の液晶表示装置。
【請求項１１】
前記バックライト部が、電界発光素子（ＥＬ素子）を備え、前記バックライト部からの光が、エレクトロルミネッセンス光である、ことを特徴とする請求項１乃至３のいずれか一に記載の液晶表示装置。
【請求項１２】
前記バックライト部において、前記発光色はバックライト面内で空間的に分離されており、
前記バックライト部の走査は、各発光色を独立に、又は異なる発光色の複数の発光層を単位として行われ、
前記液晶表示部の画面走査と前記バックライト部の画面走査とが同期している、ことを特徴とする請求項１乃至３のいずれか一に記載の液晶表示装置。
【発明の詳細な説明】
【技術分野】
【０００１】
本発明は、情報を表示する液晶表示装置に関する。
【背景技術】
【０００２】
近年、液晶表示装置（Liquid  Crystal  Display、「ＬＣＤ」という）の表示性能の向上、大画面化には目覚しいものがある。大型画面のＬＣＤはパーソナルコンピュータ用モニタ等として用いられている。大型画面ＬＣＤの技術を展開した液晶テレビの開発も活発に行われている。
【０００３】
このようなテレビ用途では、ＬＣＤの動画表示性能向上が強く求められる。現在のＬＣＤの動画表示が不満足な原因は、二つに集約できる。
【０００４】
第１には、液晶素子の応答速度が遅いことである。
【０００５】
第２には、ＬＣＤを用いた表示が定常照明光で行われていることである。
【０００６】
以下、この第２の原因を説明する。通常、動画表示が行われているＣＲＴ（Cathode Ray Tube）や映画などは、画面と次の画面の間に非表示の期間が設けられている。
【０００７】
ＣＲＴでは、電子線が蛍光体上を走査して画面を構成している。このため、ある画素の蛍光は走査後には蛍光が発生消失し、次の画面走査期間まで蛍光が発生しない。
【０００８】
また、映画の場合には、画面と次の画面の間にフィルム送りの期間があるため、この間は照明光を塞ぐのが普通である。
【０００９】
一方、ＬＣＤでは、バックライトからの光が定常的に照射されているため、画面と次の画面の間に非表示期間が存在しない。このため、ＬＣＤで動画表示を行っても、動画像がぶれるように見える。
【００１０】
これを解決する手段として、バックライト光を液晶ディスプレイ画面走査と同期させる方式が提案されている。例えば文献（「ファスト・レスポンス・リキッド・クリスタル・ディスプレイ」たいら等、AM-ＬＣＤ  98  ページ113-116）に述べられている。この場合にはバックライトはＬＥＤ（発光ダイオード）アレイよりなり、ＬＣＤ走査と同期して順次点灯される。これにより、擬似的にＣＲＴのような走査画面を形成し、動画表示性能を向上させている。
【００１１】
例えば特開平９−２５８２２７号公報には、蛍光層を具備した液晶表示装置用のバックライト組立体において、液晶パネルに相応する長さを有し、平行に積層された複数の冷陰極蛍光管と、冷陰極蛍光管の端部と結合され蛍光管を支持する一対の支持プレートとを備え、冷陰極蛍光管は、順次点灯されてスクリーン上に連続する画像を形成し、蛍光層の蛍光体を励起するために、３８０乃至４２０ｎｍの波長にあたる紫色光を放出する構成が開示されている。
【００１２】
また特開平１０−１０９９７号公報には、アクリル樹脂からなる透明な導光板の上に複数のＲＧＢ単色線状光源を、スキャンライン方向に延びるように配置し、ＲＧＢ単色線状光源の幅は液晶表示パネルの数十水平画素ライン分に相当するバックライト装置を有する表示装置において、表示パネルの水平画素ラインが走査選択される際に、駆動ラインに対応した線状光源をその色信号に対応した色の光を発するようにする駆動方法が開示されている。
【発明の開示】
【発明が解決しようとする課題】
【００１３】
これら、バックライト光を液晶ディスプレイ画面走査と同期させる構成の問題点は、部品点数が増加し、コスト高になることである。
【００１４】
すなわち、ＬＥＤを用いた場合には、バックライト表面に多数のＬＥＤを配置しなければならず、部品点数、組立て工程が増加する。特に、大型画面ＬＣＤの場合には深刻な問題となる。
【００１５】
さらに、冷陰極管を複数本用いた場合でも、画面サイズが増加するにつれて冷陰極管数も増加する。このため、同様に大型画面ＬＣＤではバックライトの価格が増加する。
【００１６】
以上のように、従来走査型バックライトを構成する場合には、動画表示性能は向上するものの、バックライトコストが高く、低コスト化できないという問題点を有していた。
【００１７】
したがって、本発明が解決しようとする課題は、部品点数、組立て工程の増大を抑止・低減し、低コスト化を図る液晶表示装置、バックライト、駆動方法と製造方法を提供することにある。
【課題を解決するための手段】
【００１８】
上記課題を解決するための手段を提供する本発明の一つのアスペクトに係る液晶表示装置は、液晶表示部と、前記液晶表示部に照明光を供給するバックライト部とを備えた液晶表示装置において、前記バックライト部は、複数の走査単位に分割されており、前記走査単位に点灯走査され、前記液晶表示部と前記バックライト部との間に、ＥＭＩ（ElectroMagnetic  Interference）対策フィルタ層を有する。
【００１９】
また、本発明において、液晶表示部と、前記液晶表示部に照明光を供給するバックライト部とを備えた液晶表示装置において、
前記バックライト部は、複数の走査単位に分割されており、前記走査単位に点灯走査され、前記液晶表示部の内部に、ＥＭＩ（ElectroMagnetic  Interference）対策フィルタ層が設けられている。本発明において、ＥＭＩ（ElectroMagnetic  Interference）対策フィルタ層は、前記液晶表示部を作成する際の薄膜工程で作成される網目状の導体構造よりなる。
【００２０】
本発明は、液晶表示部と、前記液晶表示部に照明光を供給するバックライト部とを備えた液晶表示装置において、前記バックライト部は、複数の走査単位に分割されており、前記走査単位に点灯走査され、前記バックライト部、ＥＭＩ対策フィルタ層、バックライト光を面内方向に拡散させる光拡散層、前記液晶表示部を、この順の配置にて備えている。
【００２１】
本発明において、前記バックライト部において、前記走査単位の配列方向が前記液晶表示部の走査方向と一致している。
【００２２】
本発明において、液晶表示部と、バックライト部とを備え、前記バックライト部が複数の走査電極を備え、前記バックライト部が発光色の異なる発光層群から構成され、前記バックライト部において前記発光色はバックライト面内で空間的に分離されており、異なる発光色の複数の発光層を単位として走査する手段を備えている。
【００２３】
本発明においては、前記バックライト部における走査方向の各発光色の発光時間を変化させることで走査領域の色調を変化させるように構成してもよい。
【００２４】
本発明においては、前記バックライト部の画面走査幅が、前記液晶表示部の画面走査幅よりも幅広としてもよい。
【００２５】
本発明においては、前記バックライト部の走査位相を前記液晶表示部の走査位相よりも遅らせるように制御する手段を備えた構成としてもよい。
【００２６】
本発明においては、走査方向の領域の発光時間を変化させることによって当該走査領域の最大輝度を変化させるように制御する手段を備えた構成としてもよい。
【００２７】
本発明においては、前記液晶表示部の走査線と信号線の端子取り出し辺と、前記バックライト部の走査電極用端子取り出し辺が互いに異なる構成としてもよい。
【００２８】
本発明の別のアスペクトに係るバックライトは、第１の基板と第２の基板との間隙にガスを封入し周辺部を封止し、前記第１の基板上に共通電極を有し、前記第２の基板に複数の走査電極を有し、電極間に電圧を印加して前記第１、第２の基板間の空間に放電を発生させ、前記第１、第２の基板間に配置された蛍光体を励起発光させる平面型バックライトにおいて、前記共通電極がバックライト発光面全体に同電位となるように形成された電極であり、前記走査電極を順次選択する手段を有する。
【００２９】
本発明の別のアスペクトに係る液晶表示装置用放電型バックライトは、走査発光を開始する隣接走査線が発光していない放電発光領域の表示発光領域外側に隣接して、少なくとも走査発光を開始する直前に放電を発生させる補助放電領域を有する。前記補助放電領域は、走査放電発光期間中常時放電を維持する。前記補助放電領域に放電を発生させるための補助放電電極の面積が、走査放電発光するための電極の面積より小さい。あるいは、前記補助放電電極上を被覆する誘電体層の厚さが走査放電発光するための電極を被覆する誘電体層の厚さよりも厚い。
【００３０】
前記放電を発生させる少なくとも一方の電極が複数の帯状の電極によって構成されており、本発明の別のアスペクトに係る液晶表示装置用バックライトの駆動方法は、第１のガラス基板及び第２のガラス基板を備え、前記第１、第２のガラス基板の少なくとも一方が誘電体で覆われた電極を配置し、前記基板間に形成される空間にガスを封入し周辺部を封止し、前記基板間の空間に上記電極間に電圧を印加して放電を発生させ、前記基板間に配置された蛍光体を励起発光させる平面放電型バックライトにおいて、前記放電を発生させる少なくとも一方の電極が複数の帯状の電極によって構成されており、前記帯状電極のうち放電発光させる領域の走査放電発光期間にＤＣ（直流）電圧を印加し、他方の電極に正弦波または矩形波を印加する。
【００３１】
本発明の別のアスペクトに係るバックライトの製造方法は、２枚の基板上のいずれかに走査電極、共通電極、蛍光層を有し、複数の区画を有するシール層を形成し、前記２枚の基板を張り合わせてシール区画毎に切断しガス封入を行うことで、一括に複数のバックライト部を作成する。あるいは、前記２枚の基板を張り合わせてガス封入しシール区画毎に切断を行うことで、一括に複数のバックライト部を作成する。
【発明の効果】
【００３２】
本発明によれば、バックライト部に走査電極を作り込み、発光部位をバックライト面上を走査する構成としたことにより、部品点数を削減し、製造プロセスの簡易化、コストの低減を図ることができる、という顕著な効果を奏する。また、本発明によれば、バックライトから放出される照明光を走査し、非表示期間を設けることにより、動画表示性能を向上している。
【００３３】
本発明によれば、一定期間内に、液晶表示部は１回の画面走査を、バックライト部は複数回の画面走査を行うことで、フリッカーを防止することができる。
【００３４】
また本発明に係るバックライトにおいては、対向する電極間の放電空間側に、このような突起を設けることにより、種となる放電の発生する場所及び強い放電の発生する場所を制御することができ、均一かつ安定した放電を実現することを可能としている。
【００３５】
本発明に係るバックライトによれば、走査領域に隣接して、補助放電領域を形成し、この補助放電領域では、先頭の走査領域に放電を発生させる直前に、放電を発生させるか、あるいは常時、放電を維持し、放電の種となる励起原子分子あるいは電子やイオンを供給することにより、他の走査領域と同様に安定且つ速やかに立ち上がる放電を発生させることができる。
【００３６】
また、本発明に係るバックライトにおいては、バックライトの走査発光領域に冗長性を持たせることで、バックライトを用いて走査駆動を行う液晶表示パネルの表示特性を高い信頼性で実現することができる。
【発明を実施するための最良の形態】
【００３７】
本発明の実施の形態について説明する。本発明に係る液晶表示装置の一実施の形態において、液晶表示部と、液晶表示部に照明光を供給するバックライト部を備え、バックライト部が複数の走査電極を有し、液晶表示部の画面走査とバックライト部の画面走査を同一周期で行うものである。より詳細には、図１に示すように、バックライト部２に走査電極３を作成し、バックライト面上を走査することで（図１の「バックライト走査」の矢線参照）、選択された走査電極３の領域が発光する構成としている。かかる構成により、部品点数の削減を達成している。また、バックライト部２から放出される照明光を走査するにあたり、非表示期間を設けることにより、動画表示性能を向上している。
【００３８】
図１に示す実施の形態においては、バックライト部２の走査方向と液晶表示部１の走査方向は同一方向とされている。しかしながら、バックライト部２の走査方向と液晶表示部１の走査方向は必ずしも一致させる必要はない。すなわち、本発明に係る液晶表示装置においては、例えば図２に示すように、バックライト部２の走査方向（「バックライト走査」の矢線参照）と液晶表示部１の走査方向（「液晶表示部走査」の矢線参照）が直交していてもよい。以上のような構成でも、同様の効果を得ることができる。
【００３９】
本発明の第２の実施の形態において、液晶表示装置は、液晶表示部とバックライト部からなり、バックライト部が複数の走査電極を有し、液晶表示部の画面走査期間とバックライト部の画面走査期間が等しく、バックライト部の画面走査をｎ回行う期間に液晶表示部の画面走査を１回行う構成とされる。
【００４０】
この実施の形態を、ｎ＝２を例に、図３を用いて説明する。図３では、液晶表示部１とバックライト部２の画面走査期間は同一である。また、バックライト部２が２回の画面走査を行う間（図３（ｂ）参照）に、液晶表示部１は１回の画面走査を行っている（図３（ａ）参照）。このため、液晶表示部１の表示画面には、２回のバックライト画面の走査毎に、同じ情報が表示される。
【００４１】
一般に、液晶表示部の画面走査は６０Hz程度の低速で行われる。液晶表示部１とバックライト部２の画面走査を、この周波数（６０Hz）で同期して行うと、６０Hzでの表示信号の輝度分布が現れる。これは、表示画面を見る者に、一部フリッカーとして認知される。このため、液晶表示部１とバックライト部２の走査を同期して、２倍の速度で行えば、フリッカーを防ぐことができる。
【００４２】
また、本発明のように、１２０Hzに対応する期間で、液晶表示部１とバックライト部２の走査を行い、この後、液晶表示部１の画面走査を休止し、バックライト部２のみの画面走査を行っても、フリッカーを防止することが可能である。
【００４３】
以上、ｎ＝２の場合、すなわち、一定期間内に液晶表示部１は１回の画面走査を、バックライト部２は２回の画面走査を行う例を説明した。
【００４４】
一定期間内に、液晶表示部１は１回の画面走査を、バックライト部２は多数回の画面走査を行っても、同様にフリッカーを防止することができる。
【００４５】
本発明の第３の実施の形態に係る液晶表示装置は、バックライト部が発光色の異なる発光層群から構成され、バックライト部の走査電極が複数の走査電極群から構成されるバックライト部の走査機構を有する。
【００４６】
本発明の第４の実施の形態に係る液晶表示装置は、発光色がバックライト面内で空間的に分離されて配置されており、各発光色を独立に走査する。図４を参照して、この実施の形態について説明する。
【００４７】
図４に示す例では、バックライト部２の蛍光色は、横ストライプで、各発光色が３本おきに、３種類（赤、緑、青）用意されている。この１本の横ストライプの発光色を走査単位としている。
【００４８】
図４に示す例では、走査単位１、４、７が赤、２、５、８が緑、３、６、９が青となるように配置されている。なお、図４では、単に、図面作成の都合で、赤、緑、青の発光色を図柄で表している。
【００４９】
図５を用いて、この実施の形態の走査タイミングを説明する。図５に示すように、液晶表示部１を画面走査した後（図５（ａ）参照）、バックライト部２を、走査単位番号１→４→７の順に走査して赤表示を完了し、更に、２→５→８と緑表示を走査し、３→６→９と青表示を走査する（図５（ｂ）参照）。これにより、フルカラー表示を行う。
【００５０】
本発明の第５の実施の形態において、発光色がバックライト面内で空間的に分離されており、異なる発光色の複数の発光層を単位として、走査する。これを図４を例に説明する。図４での走査を、（１，２，３）を組にして発光させる。この後、（４，５，６）を発光させ、（７，８，９）と発光させる。
【００５１】
以上のようにすることにより、赤/緑/青の隣接した横ストライプの発光を行い画面走査することが可能である。
【００５２】
また、（１，２，３）を発光させた後、（２，３，４）、（３，４，５）と発光させることも可能である。
【００５３】
さらに、この実施の形態においては、図６に、バックライトの走査単位４として示すように、異なる発光色の組を１走査単位として、駆動することも可能である。この場合、図６の走査番号順に、１，２，３，４，５，６，７，８，９の順に発光させる。
【００５４】
次に本発明の第６の実施の形態について説明する。この実施の形態では、走査方向の領域の各発光色の発光時間を変化させることによって、当該走査領域の色調を変化させる。
【００５５】
図３に示す構成では、１走査単位が、単色発光を有している。このため、画面の赤表示を強調する場合、発光時間を長くすることで達成できる。このように、各色の発光時間を調整することによって、望みの色調の画面を作り出すことが可能である。
【００５６】
次に本発明の第７の実施の形態について説明する。この実施の形態では、液晶表示部の画面走査幅がバックライト部の画面走査幅より狭い構成とされている。図６は、この実施の形態の構成を説明するための図である。図６に示す構成では、バックライト部２の画面走査幅は、液晶表示部１の画面走査幅より大きく設定されている。この実施の形態によれば、バックライト部２に不必要な微細加工を施すことなく、安価な製造工程でバックライト部２を作成することが可能である。
【００５７】
本発明の第８の実施の形態について説明する。この実施の形態において、バックライト部の画面走査幅が液晶表示部の画面走査幅の概ね整数倍である。前記第７の実施の形態では、バックライト部２の画面走査幅が液晶表示部１の画面走査幅よりも大きい。しかしながら、液晶表示部１とバックライト部２の両画面の走査の同期を取る必要が生じる。これを簡易に実行するために、バックライト部２の画面走査幅を、液晶表示部１の画面走査幅の整数倍とする。このようにすれば、一方の走査信号を逓倍することで、他方の走査信号を作り出し、同期させることが可能である。
【００５８】
次に本発明の第９の実施の形態について説明する。この実施の形態において、バックライト部の画面走査が、液晶表示の画面走査より先行して行われる。図７は、この実施の形態を説明するための図である。バックライト部と液晶表示部とを同期させる場合には、同一の周波数で同一の位相関係で走査される。図７において、バックライト部走査位置１（図７（ｂ）参照）と、液晶表示部走査位置（図７（ａ）参照）は同じ位相関係にあり、位相遅れは零である。
【００５９】
しかしながら、一般に、バックライト部の点灯に要する応答時間は、液晶表示部の応答時間よりも短い。このため、バックライト部と液晶表示部の走査位置が一致している場合には（図７（ｂ）参照）、十分に液晶表示部が応答する前に、バックライト照明が行われることになる。
【００６０】
そこで、この実施の形態においては、図７のバックライト部走査位置２（図７（ｃ）参照）のように、バックライト部の走査位相を、液晶表示部の走査位相から遅らせる。かかる構成によれば、十分に液晶表示部が応答した後に、バックライト光を供給することが可能となる。これにより、より明瞭な画像を得ることができる。この実施の形態は、図１に示す走査（液晶表示部走査とバックライト走査方向が一致）する場合のみならず、図２に示す走査（液晶表示部走査とバックライト走査方向が直交する）にも適用可能である。
【００６１】
次に本発明の第１０の実施の形態について説明する。この実施の形態において、液晶表示部は単純マトリクス駆動されている。単純マトリクス駆動液晶は、走査線本数が増加するにつれてコントラスト比が低下することがよく知られている。単純マトリクス駆動では、画面走査時に非選択走査線上の画素に、余分な電圧が印加されることが、低コントラストの原因となっている。
【００６２】
しかしながら、本発明においては、液晶表示部において、選択された走査線付近の画素にのみ表示照明光がバックライト部から供給され、非選択走査線上の画素には、表示照明光が供給されない。このため、低コントラストの原因となる非選択走査線上の画素からの表示輝度が低下し、単純マトリクス駆動液晶表示装置のコントラスト比を向上させることができる。
【００６３】
例えば、走査線１０００本の液晶表示装置を例に説明する。この液晶表示装置をデューティー１０００で単純マトリクス駆動させると、そのコントラスト比は、著しく低いものとなる。
【００６４】
一方、液晶表示部の走査線幅１０本相当の幅で、バックライト光を走査すれば（バックライト部の走査電極を駆動制御する）、デューティー１０程度の単純マトリクス駆動させたコントラスト比となる。以上のように、本発明によれば、単純マトリクス駆動液晶でも高いコントラスト比を達成することができる。
【００６５】
次に本発明の第１１の実施の形態について説明する。この実施の形態の液晶表示装置においては、走査方向の領域の発光時間を変化させることによって、当該走査領域の最大輝度を変化させている。バックライト部の走査線選択時間を、走査線すべてに同一に割り当てる必要はない。例えば画面中央部のバックライト部の走査線選択時間を長く割り当てれば、画面中央部の輝度を上げることができる。以上のようにして、画面全体の輝度分布を可変自在に設定することができる。
【００６６】
次に本発明の第１２の実施の形態について説明する。この実施の形態において、液晶表示装置は、バックライト部と液晶表示部の間に、光拡散層とプリズム層の少なくとも一つを備えている。
【００６７】
バックライト部の走査電極を設けると、走査電極間の領域は、発光し難くなる。このため、画面全体に均一な照明光が得られなくなる。
【００６８】
そこで、この実施の形態においては、図８に示すように、光拡散層６を、バックライト部２と液晶表示部１との間に設け、バックライト部２からのバックライト光を面内方向に拡散させる。かかる構成により、走査電極間に対応する位置に、均一な照明が得られる。
【００６９】
また、液晶表示部１とバックライト部２を重ねた場合には、モアレ縞が生じる。これは、液晶表示部１の画素とバックライト部２の走査電極の位置不整合や両者のピッチが異なることが原因である。
【００７０】
この問題を解消するために、光拡散板６を配置すれば、モアレ縞等を効果的に防ぐことができる。
【００７１】
また、一般に、バックライト部２からの光は、完全拡散光であることが多い。
【００７２】
この実施の形態において、図９に示すように、単数あるいは複数のプリズム層７を設けて、完全拡散光を指向性のある光にすることができる。
【００７３】
この場合も、プリズム７のピッチとバックライト部２の走査電極ピッチと液晶表示部１の画素ピッチのために、モアレ縞が発生する場合がある。これを回避するために、プリズム層と、光拡散層を組み合わせて使用する構成としてもよい。
【００７４】
プリズム層と、光拡散層を用いる、この実施の形態においては、図１０に例示するように、バックライト部２、プリズム層７、光拡散層６、液晶表示部１の順に積層する。
【００７５】
次に本発明の第１３の実施の形態について説明する。この実施の形態において、バックライト部からの光は、ガス放電からの光である。この場合、放電は、複数の走査電極と共通電極間で発生する。また、バックライト部の内部を複数の仕切りに区切り、異なるガス種を封入することにより、複数の発光色を生成できる。
【００７６】
次に本発明の第１４の実施の形態について説明する。この実施の形態において、バックライト部２からの光は、ガス放電からの励起光で励起した蛍光体からの蛍光である。この場合、放電は、複数の走査電極と共通電極間で発生させる。バックライト部内に単一のガスを封入する。また、蛍光体を印刷などで塗り分けることにより、異なった発光色を得ることができる。
【００７７】
次に本発明の第１５の実施の形態について説明する。この実施の形態において、バックライト部からの光は、ガス放電からの光であり、この光が、液晶表示部を通過後、蛍光体に入射する。この場合、液晶表示部の前面に蛍光体層を配置する。この蛍光体層は、面内方向に異なる発光色の蛍光体を塗り分ける。これにより、フルカラー表示を行うことが可能である。
【００７８】
次に本発明の第１６の実施の形態について説明する。この実施の形態において、バックライト部からの光は、真空中で電子を加速して、蛍光体に入射させることにより得られる光である。本発明においては、バックライト部が真空を保っており、電子源を走査できる走査電極を有する。また、電子源からの電子線は、蛍光層に導かれるように配置する。蛍光層を塗り分ければ、平面内で発光色の異なるバックライト部が得られる。
【００７９】
次に本発明の第１７の実施の形態について説明する。この実施の形態において、バックライト部からの光は、エレクトロルミネッセンス光である。本発明においては、有機物あるいは無機物からなる電界発光素子をバックライトとして用いる。電界発光素子の発光層を面内で塗り分けることにより、面内で発光色を分けることができる。さらに、走査電極群と、これを駆動する機構を設けることで、走査可能なバックライト部を得ることができる。
【００８０】
次に本発明の第１８の実施の形態について説明する。この実施の形態において、液晶表示装置は、液晶表示部とバックライト部との間にＥＭＩ（ElectroMagnetic  Interference）対策フィルタ層を有する。
【００８１】
バックライト部は、種類によらず、電磁障害を起こすのが通例である。このため、液晶表示部にノイズ等が混入し、表示障害の原因となる。特に、上記した実施の形態では、走査電極を設けて走査するため、上記した表示障害は問題となる。そこで、この実施の形態では、図１１に示すように、ＥＭＩ対策フィルタ層８を、バックライト部２と液晶表示部１の間に配置し、表示障害を解消している。
【００８２】
次に本発明の第１９の実施の形態について説明する。この実施の形態において、液晶表示装置は、ＥＭＩ対策フィルタ層８を、液晶表示部１の内部に有する。ＥＭＩ対策フィルタ層８として、網目状の導体が有効である。この網目状導体構造は、液晶表示部１を作成する際の薄膜工程で容易に作成される。
【００８３】
ＥＭＩ対策フィルタ層８を、液晶表示部１の外部に設ける場合には、両者のピッチズレによるモアレ縞が問題となる。
【００８４】
しかしながら、ＥＭＩ対策フィルタ層８を液晶表示部１の内部に有する本発明によれば、液晶表示部１の画素を整合させるように、ＥＭＩ対策フィルタ層８を作成することができ、モアレ縞解消に効果的である。
【００８５】
本発明の第２０の実施の形態について説明する。この実施の形態において液晶表示装置は、図１２に示すように、少なくとも、バックライト部２、ＥＭＩ対策フィルタ層８、光拡散層６、液晶表示部１を有し、この順序の配置構造を有する。
【００８６】
ＥＭＩ対策フィルタ層８を液晶表示部１の外に設ける際には、ＥＭＩ対策フィルタ層８の網目形状と液晶表示部１とのモアレ縞が発生する。このため、図１２に示すように、両者の間に光拡散層６を設けることが有効である。
【００８７】
次に本発明の第２１の実施の形態について説明する。この実施の形態において液晶表示装置は、液晶表示部１とバックライト部２との間に、赤外線吸収あるいは反射フィルタ層９を有する。
【００８８】
一般に、バックライト部２は、可視光以外に、赤外線を同時に発生することが普通である。このため、液晶表示部１の劣化あるいは過熱が生じ、問題となる場合もある。
【００８９】
そこで、この実施の形態においては、図１３に示すように、赤外線を吸収あるいは反射するフィルタ層９を、液晶表示部１とバックライト部２の間に設ける。かかる構成により、液晶表示部１の過熱の発生を避けることができる。
【００９０】
次に本発明の第２２の実施の形態について説明する。この実施の形態において液晶表示装置は、液晶表示部の端子取り出し辺と、バックライト部の走査電極用端子取り出し辺が異なる。図１４は、この実施の形態を説明するための図である。図１４を参照して、この実施の形態について説明する。
【００９１】
液晶表示部１は、走査線と信号線を外部回路に接続する必要がある。また、本発明の実施の形態において、バックライト部２は走査電極線と共通電極線の取り出しが必要となる。この両者を概ね位置整合させて、重ね合わせることが必要である。このため、従来の液晶表示装置と比較して、複雑な配線取り出しが必要となる。
【００９２】
そこで、この実施の形態では、液晶表示部１の四辺の一辺から、液晶表示部１の走査線を取り出し、他の２辺から信号線を取り出し、バックライト部２の走査線は、これらの３辺を避けて配置する。これにより、コンパクトな実装が可能となる。
【００９３】
次に本発明の第２３の実施の形態について説明する。この実施の形態において、バックライトは、第１の基板と第２の基板の間隙にガスを封入し、周辺部を封止し、第１の基板上に共通電極、第２の基板に複数の走査電極を有し、電極間に電圧を印加して基板間の空間に放電を発生させ、基板間に配置された蛍光体を励起発光させる平面型バックライトであり、走査電極を順次選択する走査機構を有する。
【００９４】
次に本発明の第２４の実施の形態について説明する。この実施の形態において、バックライトは、共通電極がバックライト発光面全体に同電位となるように形成された電極である。図１５は、この実施の形態の構成を説明するための図である。図１５に示すように、この実施の形態では、共通電極１４を、一方の基板２１の基板面全域に渡って設ける。基板２２には、複数の走査電極３が形成され、基板２２の基板２１と対向する側に蛍光層５を備えて、バックライト部２が構成されている。なお、図１５に示す例では、ガス層１２の外側に共通電極１４が設けられているが、基板２１のガス層１２側に、共通電極を作成するようにしてもよい。
【００９５】
次に本発明の第２５の実施の形態について説明する。この実施の形態において、バックライトは、共通電極及び走査電極が同一方向に走る複数の帯状の電極によって構成されている。図１６は、この実施の形態の構成を説明するための図である。図１６に示すように、基板２１上の複数本の共通電極１４は共通に接続されており、並置されている。基板２２上には複数本の走査電極３が並置されている。
【００９６】
図１７は、図１６のＡ-Ａ'線の断面図を示す図である。互いに並行する複数の共通電極１４（帯状電極）を備えた基板２１と、複数の走査電極３を備えた基板２２と備え、基板２１の基板２２に対向する面に蛍光層５を備え、基板２１、２２の間にガス層１２が封入されている。
【００９７】
この実施の形態において、帯状電極を走査駆動できるのであれば、図１８、図１９のような変形例であってもよい。
【００９８】
図１８を参照すると、この変形例は、複数の走査電極３を備えた基板２２と、基板２２の対向する面に、互いに並行する複数の共通電極１４（帯状電極）を備えた基板２１と備え、基板２１の基板２２に対向する面には、共通電極１４を覆うように、蛍光層５が形成されており、基板２１、２２の間にガス層１２が封入されている。
【００９９】
また図１９を参照すると、この変形例は、複数の走査電極３を備え、走査電極を覆うように蛍光層５が形成されている基板２２と、基板２２に対向する面に、互いに並行する複数の共通電極１４（帯状電極）を備えた基板２１と備え、基板２１の基板２２に対向する面に共通電極１４を覆うように蛍光層５が形成されており、基板２１、２２の間にガス層１２が封入されている。
【０１００】
次に本発明の第２６の実施の形態について説明する。この実施の形態において、共通電極及び走査電極が同一方向に走る複数の帯状の電極によって構成されており、両電極の位置関係が半周期（半ピッチ）ずれている。前記した第２４の実施の形態では、走査電極間の空間は放電が起こりにくい。
【０１０１】
そこで、この実施の形態では、図２０に示すように、共通電極１４と走査電極３の位置が半周期（半ピッチ）ずれており、走査電極３は、共通電極１４の形成されていない領域に対応する位置に形成されている。この実施の形態を、図１７、図１９に示した構成に適用してもよい。
【０１０２】
次に本発明の第２７の実施の形態について説明する。この実施の形態において、共通電極側あるいは走査電極側の少なくとも一方に形成される誘電体層上に、放電空間に向かって突出した突起部を有する。図２１は、この実施の形態の構成を例示する図である。図２１を参照すると、基板２２に形成されている複数の走査電極３の表面上に突起１５を備えている。
【０１０３】
対向する電極間の放電空間側に、このような突起１５を設けることにより、種となる放電の発生する場所、及び強い放電の発生する場所を制御することができ、均一で、安定した放電を実現することができる。
【０１０４】
このような効果は、放電電極を放電空間と絶縁する誘電体層上に設けるだけでなく、放電空間に露出した電極上に突起を設けたり、突起した電極を誘電体層で覆い部分的に誘電体層の厚さが薄くなるように構成したり、蛍光体層表面に突起を設けることによっても、同様にして、得られる。
【０１０５】
次に本発明の第２８の実施の形態について説明する。この実施の形態において、共通電極及び走査電極が同一方向に走る複数の帯状電極によって構成されており、これら複数の帯状電極がそれぞれＲＧＢ発光色と対応しているバックライトである。
【０１０６】
図２２に例示するように、蛍光層５を塗り分け、走査した走査電極３の位置での蛍光色を変えることができる。この場合、ＲＧＢ各色を独立に走査することが可能となる。
【０１０７】
図２２に示す例では、蛍光層５は、共通電極１４側に配置しているが、走査電極側でもよい。また、両電極基板上に配置してもよい。
【０１０８】
次に本発明の第２９の実施の形態について説明する。この実施の形態において、共通電極及び走査電極は、互いに概ね直交する帯状電極であり、この帯状電極が、それぞれＲＧＢ発光色と対応しているバックライトである。
【０１０９】
図２３を参照すると、この実施の形態では、共通電極１４と走査電極３が、互いに直交する帯状電極（水平方向に走る一連の帯状電極）からなっている。この場合にも、ＲＧＢ色を各々独立に走査することが可能である。
【０１１０】
次に本発明の第３０の実施の形態について説明する。この実施の形態のバックライトは、第１の基板と第２の基板の間隙にガスを封入し周辺部を封止し、第１の基板上に共通電極と複数の走査電極を有し、電極間に電圧を印加して基板間の空間に放電を発生させ、基板間に配置された蛍光体を励起発光させる平面型バックライトであり、走査電極を順次選択する走査機構を有している。図２４、図２５に、この実施の形態に係るバックライトの構成を、分解斜視図にて例示する。
【０１１１】
図２４に示す例では、共通電極１４と走査電極３とが、同一基板２２上に存在する。共通電極１４は平面形状が櫛歯状とされ、櫛歯の共通電極１４の間に配置されている帯状電極の走査電極３を有する。
【０１１２】
また、図２５に示す例では、共通電極１４は、絶縁膜２３を介して走査電極３と積層されている。放電を引き起こすために、走査電極３と絶縁膜２３上に開口部１６が用意されている。
【０１１３】
次に本発明の第３１の実施の形態について説明する。この実施の形態において、バックライトは、共通電極及び走査電極の少なくとも一方が複数の帯状の電極であり、この帯状電極間に発光の拡張を抑止する電極が配置されている。図２６、図２７は、この実施の形態のバックライトの構成を断面図にて示した図であり、切断線Ａ−Ａ’線は、図１６のＡ−Ａ’線に対応している。図２６に示す例は、共通電極１４と走査電極３が基板２１、２２にそれぞれ配置されており、図２７に示す例では、共通電極１４と走査電極３が同一基板２２上に配置されている。
【０１１４】
一組の共通電極１４と走査電極３の間で放電が生じる。共通電極１４と走査電極３の各組の間に、制御電極１７を配置する。図２６に示す例では、基板２２上において、走査電極３の間に制御電極１７が設けられている。これにより、放電が隣り合う組同士で起こり難くさせており、放電空間を局在化させることが可能となる。
【０１１５】
また、図２７を参照すると、基板２２上に、走査電極３と共通電極１４とが同一面上に配置されており、一組の走査電極３と共通電極１４に対して、例えば共通電極１４と隣の組の走査電極との間に制御電極１７が配置されいる。これにより、放電が隣り合う組同士で起こり難くさせ、放電空間を局在化させることが可能となる。走査電極３と共通電極１４を覆うようにして蛍光層５が形成されている。
【０１１６】
図２６に示した制御電極１７を有する構成は、図１５、図１６、図２４に示した電極構造にも適用することができる。また、蛍光体の配置にかかわらず、図１８、図１９に示した構成にも適用可能である。
【０１１７】
本発明の第３２の実施の形態について説明する。この実施の形態において、バックライトは、図２８に示すように、走査発光を開始する隣接走査線が発光していない放電発光領域の表示発光領域外側に隣接して、少なくとも走査発光を開始する直前に放電を発生させている補助放電領域を有する放電型バックライトである。図２８は、バックライトの放電発光領域の断面の一部を示したものであり、第１、第２のガラス基板１０１、２０１を備え、第１のガラス基板１０１には、共通電極１０２と透明誘電体層１０３を備え、第２のガラス基板２０１上には、走査電極２０２と白色誘電体層２０３と、蛍光体層２０４を備え、さらに、補助放電領域には、補助放電電極１０４、遮光部１０５を備えている。図２８の１１６はシール材である。
【０１１８】
本発明の第３３の実施の形態において、放電型バックライトは、補助放電領域は、走査放電発光期間中、常時、放電を維持している。
【０１１９】
走査を開始するの先頭部分は、前の放電から時間が経過しており、隣接走査線も放電していないため周辺に放電が存在しないときは放電が発生し難くなる。
【０１２０】
そこで、図２８に示すように、この先頭の走査領域に隣接して、補助放電領域を形成し、この補助放電領域では、先頭の走査領域に放電を発生させる直前に、放電を発生させるか、あるいは常時、放電を維持し、放電の種となる励起原子分子あるいは電子やイオンを供給すること（プライミング効果）により、他の走査領域と同様に、安定、且つ速やかに立ち上がる放電を発生させることが可能である。
【０１２１】
本発明の第３４の実施の形態の放電型バックライトは、図２８を参照すると、補助放電領域に放電を発生させるための補助放電電極１０４の面積が、走査放電発光するための電極２０２の面積より小さいか、あるいは補助放電電極上を被覆する誘電体層の厚さが、走査放電発光するための電極を被覆する誘電体層の厚さより厚い構成とされる。
【０１２２】
本発明の第３５の実施の形態について説明する。この実施の形態の液晶表示装置用放電型バックライトにおいては、補助放電領域の周辺には、蛍光体が配置されていない。補助放電領域で発生する放電の強度は、可能な限り小さい方が望ましい。そのため、補助放電を発生させる電極の面積を走査部電極より狭く、あるいは電極を覆う誘電体層の厚さを走査部より厚くすることにより、プライミング効果を減じることなく補助放電強度を適切に抑制することができる。
【０１２３】
あるいは、図２９に示すように、補助放電領域に、蛍光体層２０４が配置されていない構成とすることにより、補助放電による蛍光体発光が、走査領域あるいは表示領域に回り込むことを防ぐことができる。
【０１２４】
本発明の第３６の実施の形態について説明する。この実施の形態の液晶表示装置用放電型バックライトは、走査を開始する放電発光領域の外側に、常時放電を維持している領域の放電発光の走査発光領域への侵入を低減させる隔壁（図３０の１０６）が配置されている。図３０は、この実施の形態の構成を示す図である。図３０に示すように、プライミング効果を充分発生させることが可能な範囲で隔壁１０６などの遮蔽構造物により、補助放電領域と走査領域を分離させることによって、補助放電による紫外光が走査領域の蛍光体を励起発光させる影響を減じることが可能となる。
【０１２５】
本発明の第３７、３８の実施の形態について説明する。これらの実施の形態の放電型バックライトにおいては、走査発光を開始する領域が、表示領域の外側に配置されている。あるいは走査発光を開始する放電電極が、表示領域の外側に配置されている。
【０１２６】
走査発光を開始する領域が表示領域と冗長性無く一致しているとき、走査発光の先頭部分の特殊性により、この部分がほかの部分に比べ発光特性が異なってしまう。
【０１２７】
そこで、図３１に示すように、走査発光領域を表示領域よりも大きく取ることにより、走査発光の先頭部分の放電発光は表示に利用せず、均一且つ安定した走査発光領域のみ利用することが可能となり、表示の安定化、高画質化が可能となる。このような構成は、走査放電電極を表示領域の外側にも配置しておく構造とすることで実現することができる。
【０１２８】
次に本発明の第３９の実施の形態について説明する。この実施の形態に係る放電型バックライトの駆動方法は、第１のガラス基板及び第２のガラス基板に少なくとも一方が誘電体で覆われた電極を配置し、ガラス基板間に形成される空間にガスを封入し周辺部を封止し、この基板間の空間に上記電極間に電圧を印加して放電を発生させ、基板間に配置された蛍光体を励起発光させる平面放電型バックライトにおいて、上記放電を発生させる少なくとも一方の電極が複数の帯状の電極によって構成されており、この帯状電極のうち放電発光させる領域の走査放電発光期間にＤＣ電圧を印加し、他方の電極に正弦波または矩形波を印加する。図３２は、この実施の形態を説明するための図である。図３２において、走査バイアス電圧は、走査に従い、オン状態とされた走査バイアス電圧スイッチ３０３に接続される走査電極３０１に供給され、共通電極群３０２には、共通の信号（交流電圧）が入力される。
【０１２９】
ＤＣ電圧により、他方の電極に印加される交流電圧の中間電位に対する電位を変化させ、ＤＣ電圧を印加する電極に対する交流電圧の各極性の振幅を変化させることができる。
【０１３０】
少なくとも一方の電極が誘電体で覆われた電極間に、数ＭＨｚ以下の交流電圧が印加されて発生する放電は、ある閾電圧以上になると放電が発生し、電極間に逆極性の電圧を発生させるように、誘電体層を帯電させて終了する。
【０１３１】
続く外部印加交流電圧は帯電による電圧に重畳し、次の放電を発生させ、電極間に逆極性の電圧を発生させて同じく終了する。
【０１３２】
本発明の第４０の実施の形態の駆動方法は、帯状電極に印加するＤＣ電圧を走査することによって、放電発光領域を走査する液晶表示装置用バックライトの駆動方法である。図３３は、この実施の形態を説明するための図である。
【０１３３】
ＤＣ電圧を印加する電極（例えば走査電極）の電位が、他方の電極（例えば共通電極）に印加された交流電圧の中間電位にある場合、放電は安定に持続する。ＤＣ電圧を、中間電位から外れるように印加することにより、帯電による重畳電圧を含めても、放電を発生させる閾値電圧を越えなくなるようにすることができる。
【０１３４】
このように、ＤＣ電圧を変化させることにより、放電発生領域を制御することができる。この放電制御機構を利用することで、交流電圧の振幅を一定に保ったまま、帯状電極（の走査電極）に印加するＤＣ電圧を走査することによって、放電発光領域を走査することができる。
【０１３５】
本発明の第４１の実施の形態の駆動方法は、上記帯状電極に印加するＤＣ電圧値を変化させることにより、走査放電発光強度を変化させる液晶表示装置用バックライトの駆動方法である。
【０１３６】
図３４は、この実施の形態を説明するための図である。ＤＣ電圧を、放電の発生する範囲内で、中間電位から外すことによって、放電発光強度、ひいてはバックライトの平均輝度を変化させることが可能である。走査バイアス電圧スイッチ３０３を介して走査電極群３０１に供給されるＤＣ電圧を可変させている。
【０１３７】
本発明の第４２の実施の形態の駆動方法は、上記ＤＣ電圧を印加する帯状電極の数を変化させることにより、走査発光領域幅を変化させている。ＤＣ電圧を印加する帯状電極の数を変化させることにより、走査発光領域の幅を容易に変化させることが可能であり、バックライトの平均輝度を変化させることが可能である。
【０１３８】
本発明の第４３の実施の形態の駆動方法は、一方の電極に印加される交流電圧の周波数を変化させることにより、バックライトの輝度を変化させている。この駆動方法では、交流電圧は、一方の電極にのみ印加されるので、他の特性に影響を与えることなく、容易に、独立に、周波数を変化させることができ、バックライトの輝度の調整が容易となる。
【０１３９】
本発明の第４４の実施の形態について説明する。この実施の形態の液晶表示装置は、液晶表示部と上記特徴を有する放電型バックライトを有し、バックライト走査と、液晶表示部走査が同一周期で行われる。
【０１４０】
本発明の第４５の実施の形態に係るバックライト部の製造方法は、２枚の基板上のいずれかに放電型バックライトを構成する走査電極、共通電極、誘電体層、蛍光層を有する複数のバックライトの単位区画を形成し、この単位区画の放電発生領域を囲うようにシール層を形成し、この後、２枚の基板を張り合わせて単位区画毎に切断しガス封入を行う、あるいは、この後、２枚の基板を張り合わせてガス封入し単位区画毎に切断を行うのいずれかにより一括に複数のバックライト部を得る。
【０１４１】
図３６は、この実施の形態に係るバックライト部の製造方法を説明するための工程断面図である。
【０１４２】
図３６（ａ）に示すように、下基板３１５に走査電極３０７、上基板３１４に共通電極３１３を形成する。
【０１４３】
図３６（ｂ）に示すように、蛍光層３１２を形成する。
【０１４４】
図３６（ｃ）に示すように、下基板３１５及び上基板３１４上にそれぞれシール部材３１６、スペーサ（例えばガラス球スペーサ）３１７を設ける。このようにして、複数のバックライトの単位区画を用意する。図３６に示す構成では、各区画あたり、１つの共通電極に複数の走査電極が設けられている。
【０１４５】
この後、図３６（ｄ）示すように、基板３１４、３１５を貼り合わせる。
【０１４６】
つづいて、図３６（ｅ）に示すように、区画単位で、切断する。
【０１４７】
つづいて図３６（ｆ）に示すように、ガス封入孔３１８からガス封入を行い封止する。あるいは、２枚の基板を張り合わせ、ガス封入したのちに、単位区画毎に切断を行うようにしてもよい。
【０１４８】
さらに、バックライト部の走査駆動系を接続する。この後、液晶表示部１と位置合わせし、積層配置する。
【０１４９】
この際、バックライト部の走査駆動系と液晶表示部の走査駆動系を同期させるために接続する。以上のようにすれば、一回の組立工程を行うことにより、複数のバックライト部を得ることが可能である。このため、より安価に液晶表示部走査とバックライト部走査が同期した液晶表示装置を提供することが可能となる。
【実施例】
【０１５０】
本発明の実施例について説明する。図３５は、本発明に用いたガス放電型バックライトの一実施例の構成を模式的に示す断面図である。図３５を参照すると、この実施例のバックライトは、第１のガラス基板１０１に酸化インジウムあるいは酸化スズを主成分とする透明導電膜が共通電極１０２として、表示領域の全面にわたって形成され、前面基板１００となっている。
【０１５１】
第２のガラス基板２０１には、発光領域を制御するための走査方向に直行する方向に並行に配置された金属薄膜あるいは金属微粒子を主成分とする短冊状の走査電極２０２が形成され、その上に、白色誘電体層２０３が形成され、最後に、紫外光によって励起発光する蛍光体層２０４が形成され、背面基板２００となっている。
【０１５２】
本実施例では、この蛍光体層２０４からの可視発光は、液晶表示部のカラーフィルタに適合し、白色発光が構成されるように、３波長発光蛍光体となっている。
【０１５３】
前面基板１００と背面基板２００は、放電空間３００を構成する基板間隔を一定に保つように、ガラス球スペーサ（不図示）などを介して貼り合わされ、希ガスを主成分とする放電空間３００内のガスを、バックライトの周辺部のフリットガラスなどにより封止している。
【０１５４】
上記構成では、第１のガラス基板の放電空間３００とは反対側に共通電極１０２が全面にわたって形成されている。
【０１５５】
共通電極１０２は、放電空間３００側に形成されていてもよく、走査電極２０２の同一方向あるいは直交方向に短冊状に形成されていてもよい。
【０１５６】
これらの場合、共通電極と走査電極の間に印加される電圧によって放電が発生し、電極間に配置された誘電体層あるいはガラス基板によって誘電体層の破壊に至る前に放電電流が制限され、いわゆる誘電体バリア放電となるような構成になっていればよい。
【０１５７】
また、共通電極１０２あるいは走査電極２０２の何れか表示面側に配置される電極が、蛍光体の可視発光を充分透過する必要があり、少なくとも表示面側の電極は、透明導電材料あるいは金属メッシュなどにより構成される。
【０１５８】
背面基板２００上に形成される電極２０２あるいは白色誘電体層２０３は、蛍光体からの発光を効率良く表示面側に導くような材料で構成される。白色誘電体層２０３は、酸化チタンなど高屈折率材料微粉末を含有しており、電極２０２は、銀、アルミニウムなど可視光に対する反射率の高い材料で構成されることが望ましい。
【０１５９】
背面基板２００側の電極２０２が表示領域全面にわたって面状に形成される場合、白色誘電体層２０３に代わって、透明誘電体層を用いることもできる。
【０１６０】
また、背面基板２００上に形成される電極２０２が、短冊状の場合、金属電極上に誘電体層を設けないか、あるいは透明誘電体層を形成し、電極間の金属部分が構成されていない領域に、白色誘電体層を形成する構成としてもよい。
【０１６１】
蛍光体層２０４は、背面基板２００上に形成されるのみでなく、表示面側前面基板１００上に形成しても良い。
【０１６２】
また、可視光発光蛍光体層を用いずに、紫外光発光蛍光体を用いるか、ガス放電により発生する紫外発光をバックライト光として取出し、走査する構成にすることも可能である。
【０１６３】
次に、放電型バックライトの製造方法の例を説明する。
【０１６４】
第１のガラス基板１０１上前面に酸化インジウムを主成分とする透明導電膜を成膜し、この透明導電膜をフォトレジストを用いたエッチングによりパターン化し、共通電極１０２とした。
【０１６５】
パターン化した共通電極１０２は表示領域外側で電極取出し部を有している。
【０１６６】
共通電極１０２は、少なくとも表示領域において放電空間３００に露出しないように、低融点ガラス材料を主成分とする誘電体ペーストをスクリーン印刷法により形成し、焼成された透明誘電体層に被覆した。
【０１６７】
一方、第２のガラス基板２０１上には、Ａｇ粒子を主成分とする導体ペーストをスクリーン印刷法によりパターン化して塗布し、焼成することによって走査電極２０２を形成した。
【０１６８】
この走査電極２０２も、表示領域外側で、電極取出し部を有する。
【０１６９】
走査電極２０２は、少なくとも表示領域において放電空間３００に露出しないように、白色顔料微粒子を含む低融点ガラスを主成分とする誘電体ペーストをスクリーン印刷法によって形成し、焼成された白色誘電体層２０３によって被覆されている。
【０１７０】
白色誘電体層２０３上に、３波長蛍光体をスクリーン印刷法により形成、焼成し、蛍光体層とした。
【０１７１】
その後、第１及び第２のガラス基板の表示領域外側周辺部にフリットガラスペーストをディスペンサにより閉じた線状に吐出形成し、予備焼成を行った。
【０１７２】
背面基板にはガス導入用の孔及びガラス配管からなる排気管が形成されている。
【０１７３】
上記前面基板と背面基板の間に直径０．１〜２ｍｍのスペーサ用ガラス球を散布し、目合わせして焼成し貼り合わせバックライトパネルとした。
【０１７４】
封止後のガラススペーサの移動を防止するために、上記透明誘電体層あるいは白色誘電体層などガラススペーサと接する部分は、数〜数１０μｍの凹凸があるほうが望ましい。
【０１７５】
上記貼り合わせたバックライトパネルを排気管を通して真空に排気し、同時にバックライトパネル内に残留するガスを速やかに排気するために加熱した。
【０１７６】
十分加熱排気した後、バックライトパネルの温度を低下させ、バックライトパネル内の放電空間３００に、放電ガスとなるＸｅガスを６００ｈＰａ封入し、排気管を閉じた。
【０１７７】
この放電ガスはＸｅの他にＡｒ，Ｋｒ，窒素の純ガス、あるいはＨｅ，Ｎｅを含むこれら希ガスの混合ガスを用いることができる。ガス組成は、上述の誘電体層の厚さと共に、発光輝度及び駆動電圧を最適化させて用いることができる。
【０１７８】
次に本実施例に用いた放電型バックライトの走査駆動方法を説明する。
【０１７９】
図３３に示すように、共通電極には数ｋＨｚ〜数１０ＭＨｚの矩形波あるいは正弦波が印加されている。
【０１８０】
図３３に示すように、放電発光させない走査電極には共通電極に印加される交流電圧の中間電圧から外れた電圧を印加する。
【０１８１】
放電発光させる走査電極には共通電極に印加される交流電圧のほぼ中間電圧の電圧を印加する。
【０１８２】
走査電極の電圧が中間電圧にある領域では、共通電極と走査電極の間に存在する誘電体層の放電空間側表面を帯電させ、放電は一度は、収束する。しかし、直ちに印加される共通電極の逆極性の電圧により、逆極性の放電が発生し、これらを繰り返し継続しながら放電が維持される。
【０１８３】
一方、走査電極の電圧が共通電極の中間電圧より大きく外れている場合には、一度大きな電位差で放電が発生し帯電により放電が収束してしまうと、次の逆極性の電圧では電位差が小さく、放電を継続して発生しないようにすることができる。
【０１８４】
また、この走査電極に印加する電圧によって、発光輝度を変化させることができる。
【０１８５】
走査電極に印加される電圧を、単走査線あるいは複数の走査線ブロック毎に走査させることによって、発光する走査線を選択しながら走査発光させることが可能である。
【０１８６】
走査電極への電圧変調は、例えば電界効果トランジスタなどを用いたスイッチにより高速に行うことができる。
【０１８７】
次に本発明の走査バックライトの走査発光特性を、より良好にする構造及び駆動方法について説明する。
【０１８８】
上記走査放電を実行させる場合、周辺に放電が無い走査発光の開始領域では放電が不安定であった。
【０１８９】
そこで、図２８に示すように、表示領域の外側に、走査発光の開始領域に隣接して、常時あるいは走査発光を開始する直前に、放電が維持される補助放電領域を、補助放電電極１０４により形成した。
【０１９０】
これらの電極は、共通電極や走査電極と同じプロセスを用いて形成することができる。この補助放電により、走査発光の開始領域に、イオン、電子あるいは励起原子分子を供給し、走査放電の開始を安定化させることができた。
【０１９１】
また、補助放電電極１０４は、放電が安定に維持できる範囲で小面積、且つ誘電体層の厚さを厚くして、放電発光を抑えた方がよい。また、補助放電発光が表示領域に漏れることを防止するために、補助放電領域の表示面側に遮光部１０５（図２８参照）を形成した。
【０１９２】
また、補助放電が可視光に変換されるのを抑えるために、図２９に示すように補助放電電極領域に蛍光体を配置しないことも効果的である。
【０１９３】
更に、図３０に示すように、補助放電領域と走査放電領域を分離する補助放電発光遮蔽隔壁１０６を、補助放電の効果を必要以上に減じない範囲で形成することも、補助放電発光が表示領域に漏れることを防止する上で、有効である。
【０１９４】
補助放電領域に印加される電圧は、走査放電領域と同一でも良く、別の駆動回路を有していても良い。
【０１９５】
別の駆動回路を有する場合では、駆動回路に要するコストは上昇したが、補助放電強度を独立に制御することができ、表示性能と駆動性能をより容易に最適化することができた。
【０１９６】
次にバックライト走査発光特性を更に良好にするために、図３１に示すように液晶表示部の表示領域の外側にも放電型バックライトの走査電極を配置し、液晶表示部の走査位置とバックライトの走査位置を同期させ、概ね同一の走査の速さで走査を行っている。
【０１９７】
放電型バックライトでは、放電端部での発光が、中央部での発光と均一性において異なる、あるいは、ばらつくこともあり、このようにバックライトの走査発光領域に冗長性を持たせることで、バックライト、ひいては、走査型バックライトを用いて走査駆動を行う液晶表示パネルの表示特性を高い信頼性で実現することができた。
【０１９８】
前述の補助放電との組合せにより、発光及び駆動特性が更に良好となることは勿論である。
【０１９９】
次に三原色（ＲＧＢ）別の走査発光が可能な放電型バックライトの実施例を説明する。
【０２００】
本実施例においては、共通電極あるいは走査電極の少なくとも一方が、ＲＧＢの何れかの発光色の塗布領域と対応している。
【０２０１】
例えば、背面基板には走査電極が短冊状に形成され、この短冊状電極を含む領域を仕切るように１００μｍから数ｍｍの高さを有するストライプ状の隔壁を形成する。この隔壁の内側壁面に白色誘電体層を形成し、ＲＧＢ蛍光体層を順番に塗布する。
【０２０２】
白色誘電体層を短冊状走査電極の放電表示領域の全体を覆うように形成した後、ストライプ状隔壁、ＲＧＢ塗り分け蛍光体を形成してもよい。共通電極を有する前面基板は前述の通り作製し、背面基板と貼り合わせＲＧＢ走査型バックライトとした。
【０２０３】
共通電極には数ｋＨｚから数１０ＭＨｚの矩形波あるいは正弦波を印加し、走査電極の電圧をＲＧＢ別の領域で発光し走査されるように印加した。
【０２０４】
ＲＧＢ発光領域がとびとびの縞状になる点は、拡散板により抑制することができ、均一なＲＧＢ発光領域を別々に走査することができる。このようにすることで、カラーフィルタを用いずに開口率が高く、光利用率の高い液晶表示パネルを構成することができる。光利用率を高くできることで、発光輝度の向上と消費電力の低減が可能である。
【０２０５】
本実施例では、上記ガス放電を用いる放電型バックライトを用いて説明したが、バックライトは真空中で電子を加速して蛍光体に入射させて発光させる、例えばフィールドエミッション型バックライト、あるいはエレクトロルミネッセンス光を用いる、例えば有機エレクトロルミネッセント型バックライトであっても良い。
【０２０６】
以上本発明を上記実施の形態及び実施例に即して説明したが、本発明は、上記実施例等の構成にのみ限定されるものでなく、特許請求の範囲の各請求項の範囲内で当業者がなし得るであろう各種変形、修正を含むことは勿論である。
【図面の簡単な説明】
【０２０７】
【図１】本発明の第１の実施の形態の構成を説明するための図である。
【図２】本発明の第１の実施の形態の構成を説明するための図である。
【図３】本発明の第２の実施の形態を説明するためのタイミング図である。
【図４】本発明の第４の実施の形態の構成を説明するための図である。
【図５】本発明の第４の実施の形態を説明するためのタイミング図である。
【図６】本発明の第５の実施の形態の構成を説明するための図である。
【図７】本発明の第９の実施の形態を説明するためのタイミング図である。
【図８】本発明の第１２の実施の形態の構成を説明するための図である。
【図９】本発明の第１２の実施の形態の構成を説明するための図である。
【図１０】本発明の第１２の実施の形態の構成を説明するための図である。
【図１１】本発明の第１８の実施の形態の構成を説明するための図である。
【図１２】本発明の第２０の実施の形態の構成を説明するための図である。
【図１３】本発明の第２１の実施の形態の構成を説明するための図である。
【図１４】本発明の第２２の実施の形態の構成を説明するための図である。
【図１５】本発明の第２４の実施の形態の構成を説明するための図である。
【図１６】本発明の第２５の実施の形態の構成を説明するための図である。
【図１７】本発明の第２５の実施の形態の構成を説明するための図であり、図１６のＡ−Ａ’線の断面図である。
【図１８】本発明の第２５の実施の形態の構成を説明するための図であり、図１６のＡ−Ａ’線の断面図である。
【図１９】本発明の第２５の実施の形態の構成を説明するための図であり、図１６のＡ−Ａ’線の断面図である。
【図２０】本発明の第２６の実施の形態の構成を説明するための断面図である。
【図２１】本発明の第２７の実施の形態の構成を説明するための断面図である。
【図２２】本発明の第２８の実施の形態の構成を説明するための断面図である。
【図２３】本発明の第２９の実施の形態の構成を説明するための断面図である。
【図２４】本発明の第３０の実施の形態の構成を説明するための図である。
【図２５】本発明の第３０の実施の形態の構成を説明するための図である。
【図２６】本発明の第３１の実施の形態の構成を説明するための断面図である。
【図２７】本発明の第３１の実施の形態の構成を説明するための断面図である。
【図２８】本発明の第３２〜３４の実施の形態の構成を説明するための断面図である。
【図２９】本発明の第３５の実施の形態の構成を説明するための断面図である。
【図３０】本発明の第３６の実施の形態の構成を説明するための断面図である。
【図３１】本発明の第３７、３８の実施の形態の構成を説明するための断面図である。
【図３２】本発明の第３９の実施の形態の電極配線を説明するための図である。
【図３３】本発明の第４０の実施の形態の駆動電圧波形を示す図である。
【図３４】本発明の第４１の実施の形態の構成を説明するための断面図である。
【図３５】本発明の放電型バックライトの基本構成を説明するための断面図である。
【図３６】本発明の第４５の実施の形態の製造工程を説明するための図である。
【符号の説明】
【０２０８】
１  液晶表示部
２  バックライト部
３  走査電極
４  バックライト部の走査単位
５  蛍光層
６  光拡散層
７  プリズム層
８  ＥＭＩ対策フィルタ層
９  赤外線吸収あるいは反射フィルタ層
１０  走査線取り出し
１１  信号線取り出し
１２  ガス層
１３  バックライト部走査
１４  共通電極
１５  突起
１６  開口部
１７  制御電極
２１、２２  基板
２３  絶縁膜
１００  前面基板
１０１  第１のガラス基板
１０２  共通電極
１０３  透明誘電体層
１０４  補助放電電極
１０５  遮光部
１０６  補助放電発光遮光隔壁
１１６  シール
２００  背面基板
２０１  第２のガラス基板
２０２  走査電極
２０３  白色誘電体層
２０４  蛍光体層
３００  放電空間
３０１  走査電極群
３０２  共通電極群
３０３  走査バイアス電圧スイッチ
３０７  走査電極
３１２  蛍光層
３１３  共通電極
３１４  上基板
３１５  下基板
３１６  シール
３１７  スペーサ
３１８  ガス封入孔
【図１】
2008015542.tif 000003
【図２】
2008015542.tif 000004
【図３】
2008015542.tif 000005
【図４】
2008015542.tif 000006
【図５】
2008015542.tif 000007
【図６】
2008015542.tif 000008
【図７】
2008015542.tif 000009
【図８】
2008015542.tif 000010
【図９】
2008015542.tif 000011
【図１０】
2008015542.tif 000012
【図１１】
2008015542.tif 000013
【図１２】
2008015542.tif 000014
【図１３】
2008015542.tif 000015
【図１４】
2008015542.tif 000016
【図１５】
2008015542.tif 000017
【図１６】
2008015542.tif 000018
【図１７】
2008015542.tif 000019
【図１８】
2008015542.tif 000020
【図１９】
2008015542.tif 000021
【図２０】
2008015542.tif 000022
【図２１】
2008015542.tif 000023
【図２２】
2008015542.tif 000024
【図２３】
2008015542.tif 000025
【図２４】
2008015542.tif 000026
【図２５】
2008015542.tif 000027
【図２６】
2008015542.tif 000028
【図２７】
2008015542.tif 000029
【図２８】
2008015542.tif 000030
【図２９】
2008015542.tif 000031
【図３０】
2008015542.tif 000032
【図３１】
2008015542.tif 000033
【図３２】
2008015542.tif 000034
【図３３】
2008015542.tif 000035
【図３４】
2008015542.tif 000036
【図３５】
2008015542.tif 000037
【図３６】
2008015542.tif 000038